(57)【要約】  【課題】オートサーチの過程で検出された受信チャンネルをユーザが容易に知ることができるハードディスクレコーダを提供する。  【解決手段】オートサーチにより検出された受信チャンネルのチャンネル番号１５を、モニタの画面１３ａ上に順次表示させ、オートサーチの期間に検出された受信チャンネルの番号をハードディスクに登録するようにした。チャンネル番号１５の表示により、どの受信チャンネルが検出されたかを容易に知ることができるとともに、ハードディスクを利用して受信チャンネルの登録を行うことで、メモリの使用領域を削減することができる。【選択図】  図４
2005229470.tif 000002
【特許請求の範囲】
【請求項１】
テレビ信号を受信するチューナと、前記チューナで受信したテレビ信号をデジタル化する信号処理部と、前記信号処理部でデジタル化されたテレビ信号を記録するハードディスクとを内蔵し、前記チューナの同調周波数を変化させて受信チャンネルを順次検出し、検出された受信チャンネルを登録するオートサーチ機能を備えたハードディスクレコーダにおいて、
オートサーチにより検出された受信チャンネルをメモリに格納し、当該受信チャンネルを本体前面に設けられた表示部に表示するとともに、前記本体と接続されるモニタの画面上にＯＳＤ（On Screen Display）表示し、
すべてのチャンネルにつきオートサーチが終了した後、またはオートサーチの途中でリモコンの所定のボタンが操作されてオートサーチが中止された後、それまでに前記メモリに格納された受信チャンネルを前記ハードディスクに移して登録することを特徴とするハードディスクレコーダ。
【請求項２】
テレビ信号を受信するチューナと、前記チューナで受信したテレビ信号をデジタル化する信号処理部と、前記信号処理部でデジタル化されたテレビ信号を記録するハードディスクとを内蔵し、前記チューナの同調周波数を変化させて受信チャンネルを順次検出し、検出された受信チャンネルを登録するオートサーチ機能を備えたハードディスクレコーダにおいて、
オートサーチにより検出された受信チャンネルを、本体前面に設けられた表示部および／または前記本体と接続されるモニタの画面上に順次表示させ、
オートサーチの期間に検出された受信チャンネルを前記ハードディスクに登録することを特徴とするハードディスクレコーダ。
【請求項３】
請求項２に記載のハードディスクレコーダにおいて、
オートサーチの途中で所定の操作が行われたことに応答してオートサーチを中止し、それまでに検出された受信チャンネルを前記ハードディスクに登録することを特徴とするハードディスクレコーダ。
【請求項４】
請求項２または請求項３に記載のハードディスクレコーダにおいて、
検出された受信チャンネルをモニタの画面上に履歴表示することを特徴とするハードディスクレコーダ。
【請求項５】
請求項４に記載のハードディスクレコーダにおいて、
履歴表示される受信チャンネルのそれぞれに対応してリモコンのボタン番号を表示することを特徴とするハードディスクレコーダ。
【請求項６】
請求項５に記載のハードディスクレコーダにおいて、
受信チャンネルとリモコンのボタン番号とに加えて、オートサーチにより検出されなかった非受信チャンネルを表示することを特徴とするハードディスクレコーダ。
【請求項７】
請求項５または請求項６に記載のハードディスクレコーダにおいて、
オートサーチが終了した後、またはオートサーチが途中で中止された後、自動的に編集モードへ移行し、リモコンの操作に基づいて前記モニタの画面上でリモコンのボタン番号を変更できるようにしたことを特徴とするハードディスクレコーダ。
【発明の詳細な説明】
【技術分野】
【０００１】
本発明は、オートサーチ機能を備えたハードディスクレコーダに関する。
【背景技術】
【０００２】
オートサーチは、従来からテレビジョン受像機やＶＴＲ（Video Tape Recorder）等の機器に備わっている機能であり、受信可能なチャンネルを自動的に検出してプリセットするものである。日本国内のチャンネル（以下、必要により「ｃｈ」と記す）は、１ｃｈ（周波数９１．２５ＭＨｚ）から６２ｃｈ（周波数７６５．２５ＭＨｚ）まで６２あり、１ｃｈ〜１２ｃｈはＶＨＦ放送のチャンネル、１３ｃｈ〜６２ｃｈはＵＨＦ放送のチャンネルとなっている。オートサーチにおいては、チューナの同調周波数を順次変化させて、１ｃｈ〜６２ｃｈまでの各チャンネルのうち同調が得られたチャンネルを受信チャンネルとして検出する。同調の有無は、同調時に出力されるＡＦＴ（自動微調整）電圧により判定することができる。後記の特許文献１、２には、このようなオートサーチ機能を備えたラジオ受信機が記載されている。
【０００３】
ところで、最近では、従来のＶＴＲに代わるものとして、ハードディスクレコーダが登場している。ハードディスクレコーダには、テレビ信号を受信するチューナと、受信したテレビ信号をデジタル化する信号処理部と、デジタル化されたテレビ信号を記録する大容量のハードディスクとが内蔵されており、ハードディスクにテレビ番組を録画して、編集や再生を自在に行うことができる。そして、こうしたハードディスクレコーダにおいても、オートサーチ機能を備えたものが実現されている。
【特許文献１】特開２００３−３７４８１号公報
【特許文献２】特開２００３−１３３９１３号公報
【発明の開示】
【発明が解決しようとする課題】
【０００４】
しかしながら、従来のハードディスクレコーダにあっては、オートサーチが実行されている間、サーチの進行状況がバー表示されるようになっているが、これだけでは、どのチャンネルが受信チャンネルとして検出されプリセットされたのかがユーザには分からないという不具合があった。
【０００５】
本発明は、上記課題を解決するものであって、その目的とするところは、オートサーチの過程で検出された受信チャンネルをユーザが容易に知ることができるハードディスクレコーダを提供することにある。
【課題を解決するための手段】
【０００６】
本発明のハードディスクレコーダは、テレビ信号を受信するチューナと、チューナで受信したテレビ信号をデジタル化する信号処理部と、信号処理部でデジタル化されたテレビ信号を記録するハードディスクとを内蔵し、チューナの同調周波数を変化させて受信チャンネルを順次検出し、検出された受信チャンネルを登録するオートサーチ機能を備えたハードディスクレコーダであって、オートサーチにより検出された受信チャンネルを、本体前面に設けられた表示部および／または本体と接続されるモニタの画面上に順次表示させ、オートサーチの期間に検出された受信チャンネルをハードディスクに登録するようにしたものである。このように、受信チャンネルが順次表示されることにより、ユーザはどの受信チャンネルが検出されたかを容易に知ることができる。また、ハードディスクに受信チャンネルの登録を行うことから、メモリの使用領域を削減することができる。
【０００７】
本発明においては、オートサーチの途中で所定の操作が行われたことに応答してオートサーチを中止し、それまでに検出された受信チャンネルをハードディスクに登録するようにしてもよい。これによると、オートサーチが不要になった時点でサーチを中止しても、それまでに検出された受信チャンネルが登録されるため、オートサーチが全部終了するまで待つ必要がなく、時間の無駄を排除することができる。
【０００８】
また、本発明においては、検出された受信チャンネルをモニタの画面上に履歴表示するのが好ましい。これによると、画面上に受信チャンネルの一覧が表示されるので、ユーザは受信可能なチャンネルの全体を一目瞭然に把握することができる。
【０００９】
また、本発明においては、履歴表示される受信チャンネルのそれぞれに対応してリモコンのボタン番号を表示するようにしてもよい。これによると、画面上に受信チャンネルとボタン番号の一覧が表示されるので、ユーザはどのチャンネルがどのボタンに対応するのかを一目瞭然に把握することができる。
【００１０】
また、本発明においては、受信チャンネルとリモコンのボタン番号とに加えて、オートサーチにより検出されなかった非受信チャンネルを表示するようにしてもよい。これによると、ユーザはどのチャンネルが受信できないチャンネルであるかを容易に知ることができる。
【００１１】
さらに、本発明においては、オートサーチが終了した後、またはオートサーチが途中で中止された後、自動的に編集モードへ移行し、リモコンの操作に基づいてモニタの画面上でリモコンのボタン番号を変更できるようにしてもよい。これによると、オートサーチが終了または中止した後、直ちにボタン番号の変更が可能となり、メニュー画面に戻って編集モードを選択してから編集を行うといった煩雑な操作が不要となる。
【発明の効果】
【００１２】
本発明によれば、オートサーチの過程で受信チャンネルが順次表示されるため、ユーザは受信可能なチャンネルを容易に知ることができるとともに、ハードディスクを利用してチャンネルを登録するため、メモリの使用領域を削減することができる効果がある。
【発明を実施するための最良の形態】
【００１３】
図１は、本発明に係るハードディスクレコーダ（以下、「ＨＤＤレコーダ」と記す）の電気ブロック図を示している。図において、破線で囲んだブロックがＨＤＤレコーダ１００である。１はアンテナＡからのテレビ信号を受信して所定チャンネルの信号を取り出すチューナ、２はチューナ１で取り出された映像信号および音声信号を処理する信号処理部、３はＣＰＵ４と、ＲＯＭやＲＡＭ等からなるメモリ５と、チャンネル番号カウンタ６とから構成される制御部、７はハードディスク８に対して情報の読出しや書込みを行うハードディスクドライブである。９はＨＤＤレコーダ１００の本体前面に備わる操作部、１０はＨＤＤレコーダ１００の本体前面に備わる表示部、１１はリモートコントローラ（以下、「リモコン」と記す）１２からのコントロール信号を受信するリモコン受信部、１３はＨＤＤレコーダ１００で再生された映像を表示するモニタである。
【００１４】
図２は、リモコン１２のボタン配置を示した図である。２１は電源を入切する電源ボタン、２２はモニタ１３の画面にメニューを表示するメニューボタン、２３は再生動作を開始する再生ボタン、２４は再生を停止する停止ボタン、２５は早送りボタン、２６は早戻しボタン、２７は送り方向のスキップボタン、２８は戻し方向のスキップボタン、２９は録画を開始する録画ボタンである。３０はモニタ１３の画面上でカーソルを移動させるカーソルボタン、３１はカーソルで選択した項目を決定する決定ボタン、３２はチャンネルを進ませたり戻らせたりするチャンネルボタン、３３は音量を調節する音量ボタン、３４はチャンネルを直接選択する数字ボタンである。リモコン１２には、上記以外にも各種のボタンが設けられているが、本発明の要部ではないので説明は省略する。
【００１５】
図３は、ＨＤＤレコーダ１００の概略正面図である。ＨＤＤレコーダ１００の本体１０１の前面１０２には、前述の操作部９と表示部１０とが設けられている。操作部９は、電源のオンオフ、再生、録画、停止、早送り、早戻しなどの基本的な動作を行なわせるためのキーから構成される。したがって、これらの動作は、リモコン１２側とＨＤＤレコーダ１００側のいずれにおいても操作することができる。表示部１０はＶＦＤ（蛍光管表示装置）からなり、ＨＤＤレコーダ１００の動作状態や時間、チャンネル番号など各種の情報を表示する。２０はＣＤ（Compact Disk）やＤＶＤ（Digital Versatile Disk）などのディスクを出し入れするディスクトレイである。なお、ＨＤＤレコーダ１００はこのようにディスクを取り扱うこともできるようになっているが、図１の構成ではディスクドライブなどのブロックは図示を省略してある。
【００１６】
以上の構成において、録画を行う場合は、リモコン１２の録画ボタン２９を操作すると、リモコン受信部１１が録画指令の信号を受信して制御部３に送り、制御部３は録画動作のための制御手順を実行する。これにより、チューナ１で受信され選局されたテレビ信号は、信号処理部２においてデジタル化され、ハードディスクドライブ７によってハードディスク８に記録される。また、録画した映像を再生する場合は、ハードディスク８の記録内容の一覧をモニタ１３の画面に表示させてタイトルを選択した後、リモコン１２の再生ボタン２３を操作すると、リモコン受信部１１が再生指令の信号を受信して制御部３に送り、制御部３は再生動作のための制御手順を実行する。これにより、ハードディスク８に記録されたテレビ信号が読み出され、信号処理部２においてアナログ信号に変換された後、モニタ１３に再生映像が表示される。以上の基本動作は、従来と変わりはない。
【００１７】
次に、オートサーチを実行する場合の手順について説明する。まず、リモコン１２のメニューボタン２２を押してモニタ１３にメニューを表示させる。そして、カーソルボタン３０によりメニュー中の「オートサーチ」にカーソル（ハイライト）を移動させ、決定ボタン３１を押すと、オートサーチが開始される。オートサーチが開始されると、制御部３はチューナ１を制御して、チューナ１の同調周波数を連続的に変化させて周波数掃引を行い、同調が得られた場合に得られるＡＦＴ電圧を検出することにより、受信チャンネルを順次検出してゆく。検出された受信チャンネルの番号は、メモリ５のＲＡＭの所定領域に一旦格納される。
【００１８】
オートサーチが実行されている間、モニタ１３の画面には図４のような表示が行われる。図４において、１３ａはモニタ１３の画面、１４はオートサーチの進行状況を表すバー表示、１５は検出された受信チャンネルのチャンネル番号である。例えば、オートサーチのある時点で８ｃｈが検出されると、図４（ａ）に示すように、チャンネル番号１５として「８ｃｈ」が表示される。また、その後例えば１２ｃｈが検出された場合は、図４（ｂ）に示すように、チャンネル番号１５として「１２ｃｈ」が表示される。さらに、その後例えば３４ｃｈが検出された場合は、図４（ｃ）に示すように、チャンネル番号１５として「３４ｃｈ」が表示される。なお、バー表示１４とチャンネル番号１５とは、ＯＳＤ（On Screen Display）によって表示される。
【００１９】
一方、ＨＤＤレコーダ１００の本体１０１の表示部１０にも、上記表示と対応して、チャンネル番号の表示が行われる。図５は、その表示例を示している。図５（ａ）は、オートサーチが開始された直後の状態であり、表示部１０の蛍光管はすべて消灯して無表示状態となっている。そして、オートサーチの進行に従って受信チャンネルが検出されると、前述の図４（ａ）〜（ｃ）の表示と同じタイミングで、図５（ｂ）〜（ｄ）に示すようにチャンネル番号が表示部１０に表示される。そして、すべてのチャンネル（合計６２チャンネル）につきオートサーチが実行されるとサーチが終了し、メモリ５に格納されている受信チャンネルの番号はハードディスク８に移され、チャンネルマップに登録される。
【００２０】
図６は、ハードディスク８の所定領域に設けられたチャンネルマップ８１の例を示している。チャンネルマップ８１には、オートサーチによって検出された受信チャンネルの番号と、各受信チャンネルに対応するリモコン１２のボタン番号（数字ボタン３４の番号）とが登録される。受信チャンネルに対するボタン番号は自動的に割り当てられるが、後述するように、割り当てられたボタン番号をユーザにおいて変更することも可能である。
【００２１】
なお、オートサーチを最後まで実行せずに途中で中止する場合は、オートサーチ中にリモコン１２の決定ボタン３１を押す。地域によって、あるチャンネルまでしか受信できない場合は、そのチャンネルが検出された以降もオートサーチを続けることは無意味なので、このような場合には決定ボタン３１を押してオートサーチを中止する。決定ボタン３１が押されると、それまでに検出されてメモリ５に格納されている受信チャンネルの番号はハードディスク８に移され、図６に示したチャンネルマップ８１に登録される。
【００２２】
以上述べたように、上記実施形態においては、オートサーチにより検出された受信チャンネルがモニタ１３の画面１３ａおよび本体１０１の表示部１０に順次表示されるので、ユーザはどの受信チャンネルが検出されたかを容易に知ることができる。また、ハードディスク８を利用して受信チャンネルの登録を行うようにしたので、メモリ５にチャンネルマップのエリアが不要となり、メモリ５の使用領域を削減することができる。さらに、オートサーチの途中でリモコン１２の決定ボタン３１が押されたことに応答してオートサーチを中止するとともに、それまでに検出された受信チャンネルをハードディスク８に登録するようにしたので、オートサーチを中止しても、それまでに検出された受信チャンネルは登録され、オートサーチが全部終了するまで待つ必要がないため、時間の無駄を排除することができる。
【００２３】
なお、上記実施形態では、モニタ１３の画面１３ａと本体１０１の表示部１０の両方に同時に受信チャンネルの番号を表示するようにしているが、いずれか一方にのみチャンネル番号を表示してもよい。
【００２４】
図７は、オートサーチ中のモニタ１３の画面１３ａにおける他の表示例を示している。ここでは、（ａ）〜（ｃ）に示すように、検出された受信チャンネルのチャンネル番号１６がモニタ画面上に履歴表示されるようになっている。このような履歴表示によると、画面１３ａ上に受信チャンネルの一覧が表示されることになるので、ユーザは受信可能なチャンネルの全体を一目瞭然に把握することができる。
【００２５】
図８は、以上述べたＨＤＤレコーダ１００の動作を示したフローチャートである。オートサーチが開始されると、チャンネル番号カウンタ６の値をN＝１にセットし、ｃｈ１からオートサーチを実行する（ステップＳ１）。次に、リモコン１２の決定ボタン３１が押されたか否かを判定し（ステップＳ２）、押されていなければ（ステップＳ２：ＮＯ）、Ｎ番目（最初は１番目）のチャンネルが検出されたか否かを判定する（ステップＳ３）。チャンネルが検出されれば（ステップＳ３：ＹＥＳ）、その受信チャンネルのチャンネル番号をメモリ５に格納するとともに、モニタ１３の画面１３ａおよび本体１０１の表示部１０に、図４、図５、図７のように表示する（ステップＳ４）。チャンネルが検出されなければ（ステップＳ３：ＮＯ）、ステップＳ４はスキップされる。
【００２６】
次に、カウンタ値Nが最大チャンネル数（６２）に達したか否かを判定し（ステップＳ５）、達していなければ（ステップＳ５：ＮＯ）、カウンタ値Nに１を加算してＮ＝Ｎ＋１とし（ステップＳ６）、ステップＳ２へ戻る。カウンタ値Nが最大チャンネル数に達すると（ステップＳ５：ＹＥＳ）、オートサーチが終了したと判断して、サーチ期間中に検出された受信チャンネルの番号をメモリ５からハードディスク８へ移して保存（登録）する（ステップＳ７）。また、ステップＳ２において、リモコン１２の決定ボタン３１が押された場合（ステップＳ２：ＹＥＳ）は、オートサーチを中止して、それまでに検出された受信チャンネルの番号をメモリ５からハードディスク８へ移して保存（登録）する（ステップＳ７）。
【００２７】
図９は、オートサーチ中のモニタ１３の画面１３ａにおける他の表示例を示している。ここでは、（ａ）〜（ｃ）に示すように、履歴表示される受信チャンネルのチャンネル番号１７ａのそれぞれに対応して、リモコン１２のボタン番号１７ｂを表示するようにしている。また、これらに加えて、オートサーチにより検出されなかったスキップチャンネル（非受信チャンネル）のチャンネル番号１７ｃを表示するようにしている。このような表示形態によれば、画面上に受信チャンネルのチャンネル番号１７ａと、ボタン番号１７ｂと、スキップチャンネルのチャンネル番号１７ｃの一覧が表示されるので、ユーザはどのチャンネルがどのボタンに対応するのかを一目瞭然に把握することができるとともに、どのチャンネルが受信できないチャンネルであるかを容易に知ることができる。
【００２８】
本発明の他の実施形態として、オートサーチが終了した後、またはオートサーチが途中で中止された後、図９に示した画面１３ａをそのままにして、自動的に編集モードへ移行することが考えられる。この編集モードでは、割り当てられたリモコンのボタン番号を変更するような操作を行うことができる。この場合は、例えば図９（ｂ）に示すように、リモコン１２のカーソルボタン３０を操作して、カーソルＫを変更したいボタン番号の場所へ移動させ、数字ボタン３４を操作することにより、図９（ｃ）に示すように、ボタン番号を変更する。ここでは、ｃｈ１９に割り当てられたボタン番号「３」が「１１」に変更されている。この場合、図９（ｂ）においてスキップチャンネルの欄に表示されていた「１１」は、図９（ｃ）のように表示されなくなり、その代わり「３」がスキップチャンネルの欄に表示される。この実施形態によると、オートサーチが終了または中止した後、直ちにボタン番号の変更が可能となり、メニューボタン２２を押してメニュー画面に戻り、編集モードを選択してから編集を行うといった煩雑な操作が不要となる。
【００２９】
また、編集モードでの操作としては、上記以外にも種々考えられる。例えば、検出された受信チャンネルのうち、不要なチャンネルを消去する場合も、リモコン１２の操作により簡単に行うことができる。この場合、チャンネル番号１７ａの欄においてカーソルで選択されたチャンネルの受信状態（例えば当該チャンネルの受信レベルや実際の映像など）を画面上に表示し、受信状態が悪いことをユーザが確認したうえでチャンネルを消去できるようにしてもよい。
【００３０】
図１０は、以上のような編集モードを採用した場合のＨＤＤレコーダ１００の動作を示したフローチャートである。ステップＳ１〜Ｓ６の動作については、図８で説明した内容と同じであるので、ここでは説明を省略する。ステップＳ５において、カウンタ値Nが最大チャンネル数に達した場合（ステップＳ５：ＹＥＳ）、またはステップＳ２において、リモコン１２の決定ボタン３１が押された場合（ステップＳ２：ＹＥＳ）は、画面をそのままにして編集モードへ移行する（ステップＳ６ａ）。そして、編集を行う場合は（ステップＳ６ｂ：ＹＥＳ）、リモコン１２の操作により所定の編集を行い（ステップＳ６ｃ）、その後、受信チャンネルの番号をメモリ５からハードディスク８へ移して保存（登録）する（ステップＳ７）。編集を行わない場合は（ステップＳ６ｂ：ＮＯ）、ステップＳ６ｃを飛ばして、受信チャンネルの番号をメモリ５からハードディスク８へ移して保存（登録）する（ステップＳ７）。
【図面の簡単な説明】
【００３１】
【図１】本発明に係るハードディスクレコーダの電気ブロック図である。
【図２】リモコンのボタン配置を示す図である。
【図３】ハードディスクレコーダの概略正面図である。
【図４】オートサーチ中のモニタ画面の表示例である。
【図５】オートサーチ中の本体表示部の表示例である。
【図６】チャンネルマップを示す図である。
【図７】オートサーチ中のモニタ画面の他の表示例である。
【図８】ハードディスクレコーダの動作を示すフローチャートである。
【図９】他の実施形態におけるモニタ画面の表示例である。
【図１０】他の実施形態の動作を示すフローチャートである。
【符号の説明】
【００３２】
１    チューナ
２    信号処理部
３    制御部
５    メモリ
８    ハードディスク
１０  表示部
１２  リモコン
１３  モニタ
１３ａ  画面
１５  チャンネル番号
１６  チャンネル番号
１７ａ  チャンネル番号
１７ｂ  ボタン番号
１７ｃ  チャンネル番号
３１  決定ボタン
１００  ハードディスクレコーダ
１０１  本体
１０２  前面
【図１】
2005229470.tif 000003
【図２】
2005229470.tif 000004
【図３】
2005229470.tif 000005
【図４】
2005229470.tif 000006
【図５】
2005229470.tif 000007
【図６】
2005229470.tif 000008
【図７】
2005229470.tif 000009
【図８】
2005229470.tif 000010
【図９】
2005229470.tif 000011
【図１０】
2005229470.tif 000012